(57)【要約】【課題】走行機体の搭乗経路からの作業者の搭乗を容易にする作業機を構成する。【解決手段】走行機体Ａの運転座席３に対して走行機体Ａの側部から作業者が乗り込む側部搭乗経路Ｓの前側に第１手摺フレーム５１を備え、後側に第２手摺フレーム５２を備えた。第１手摺フレーム５１の後部の第１後部縦手摺部５１Ｂが上側ほど前方に変位する傾斜姿勢で形成し、第２手摺フレーム５２の前部の第２前部縦手摺部５２Ａが上側ほど後方に変位する傾斜姿勢で形成した。【選択図】図１
2014135932.tif 000002
【特許請求の範囲】
【請求項１】
前部位置にステアリングハンドルを配置し、後端位置に作業装置を備え、これらの中間位置に運転座席を配置して走行機体が構成されると共に、
前記走行機体の側部から前記運転座席に作業者が乗り込むための側部搭乗経路が形成され、この側部搭乗経路の前側の第１手摺フレームと、前記側部搭乗経路の後側の第２手摺フレームとが前記走行機体から立ち上がる姿勢で備えられ、
前記第１手摺フレームの後部の第１後部縦手摺部が上側ほど前方に変位する傾斜姿勢で形成され、前記第２手摺フレームの前部の第２前部縦手摺部が上側ほど後方に変位する傾斜姿勢で形成されている作業機。
【請求項２】
前記第１手摺フレームの上端で水平姿勢となる第１横手摺部が、前記第２手摺フレームの上端で水平姿勢となる第２横手摺部の高さと等しい高さ、又は、この第２横手摺部より低い高さで形成されている請求項１記載の作業機。
【請求項３】
前記走行機体の前端部から前記運転座席に作業者が乗り込むための前部搭乗経路が形成され、前記第１手摺フレームの前部の第１前部縦手摺部の上部が上側ほど後方に変位する傾斜姿勢で形成されている請求項１又は２記載の作業機。
【請求項４】
前記走行機体の前端部から前記運転座席に作業者が乗り込むための前部搭乗経路が形成され、前記第１手摺フレームの前部の第１前部縦手摺部の下部が下側ほど後方に変位する傾斜姿勢で形成されている請求項１〜３のいずれか一項に記載の作業機。
【請求項５】
前記第１手摺フレームの前記第１後部縦手摺部が上端側ほど前記走行機体の中央側に変位する傾斜姿勢で形成されている請求項１〜４のいずれか一項に記載の作業機。
【請求項６】
前記走行機体の後端位置に横幅方向に沿ってリアステップが形成されると共に、前記第２手摺フレームが、前記走行機体の左右両側部に備えられ、この左右の第２手摺フレームの上端位置に連結する横フレームが前記リアステップの上方位置に配置されている請求項１〜５のいずれか一項に記載の作業機。
【請求項７】
前記作業装置の左右両側部に、圃場面上に倒伏する作用姿勢と、圃場面から上方に離間して縦向きとなる格納姿勢とに切換自在なマーカを備え、前記横フレームの外端位置が、格納姿勢にある前記マーカとの接触を回避する形状に成形されている請求項６記載の作業機。
【発明の詳細な説明】
【技術分野】
【０００１】
本発明は、作業機に関し、詳しくは、走行機体に備えられる手摺フレームの改良に関する。
【背景技術】
【０００２】
上記のように構成された作業機として特許文献１には、走行機体の運転座席の足元のステップの外側位置において、ステップから立ち上がる姿勢の縦手摺りと、この縦手摺りの上端に連なるサイド手摺りとで成る手摺フレームを有する乗用型田植機が示されている。この特許文献１では、手摺フレームが運転座席の両側部に配置され、作業者が走行機体に乗降する際に手摺として使用される。
【０００３】
また、特許文献２には、走行機体の前部にボンネットの両側部にステップが配置され、走行機体の前部位置でステップの外端位置から立ち上がる姿勢の縦杆を有するステーに対して補助苗載台を備えた移植機が示されている。この特許文献２では、作業者がステップに乗降する際にはステーの縦杆を手摺として使用する点が記載されている。
【先行技術文献】
【特許文献】
【０００４】
【特許文献１】特開２００８‐２７８７６５号公報
【特許文献２】特開２００７‐２４４３１４号公報
【発明の概要】
【発明が解決しようとする課題】
【０００５】
乗用型田植機や乗用型播種機等の作業機では車輪が泥土に沈み込んだ状態でも作業を可能にするために、走行機体のフロアーやステップのレベルは車輪の接地位置から比較的高い位置に形成されている。また、乗用型田植機では運転座席の足元のフロアーから走行機体の両側部に連なる領域に作業者の乗降経路が形成され、特許文献２にも示されるように走行機体の前部のボンネットの両側部のステップを、走行機体の前端からの作業者の乗降を可能にする乗降経路とするものも存在する。
【０００６】
走行機体の前端の乗降経路を介して作業者が乗降する場合には、走行機体を畦に接近させることが多い。また、圃場面を基準にして畦が高い位置にあるため、走行機体の前端から作業者が乗降する場合には畦とステップとのレベル差が小さく作業者がバランスを崩すことは少ない。また、特許文献２に記載されるように走行機体の前部位置で上方に立ち上がる姿勢の手摺フレームを備えたものでは、乗降時に作業者が手摺フレームを握ることにより作業者の姿勢の安定化に繋がる。
【０００７】
これに対して、走行機体の側部の乗降部において作業者が乗降する場合には、作業者が圃場面と走行機体との間の大きいレベル差を移動するため作業者がバランスを崩すこともあった。このような不都合に対して特許文献１に記載されるように走行機体の側部で立ち上がる姿勢の手摺フレームを備えたものでは、乗降時に作業者が手摺フレームを握ることにより姿勢の安定を安定させることも可能となる。
【０００８】
しかしながら、特許文献１に記載される構成で、作業者が圃場から走行機体に搭乗する場合には一方の手で手摺フレームを握り、握った手で体を引き上げる移動形態となるため、作業者の負担が増すだけではなく、作業者は手摺フレームを握る片手だけで体を支えなければならず、バランスを崩すことも考えられた。そこで、走行機体の側部の搭乗経路を挟む位置に手摺フレームを配置することも考えられるが、乗降の際には前後位置の手摺フレームの間を作業者が通過する移動形態となるため、例えば、作業者の衣服が手摺フレームに接触することや、作業者が予備苗や、肥料のパッケージ等を運搬する場合には、これらが手摺フレームに接触して作業能率を低下させることも考えられた。
【０００９】
本発明の目的は、走行機体の側部に対して作業者が乗降する場合でもバランスを崩さず楽な乗降が可能になり、この側部搭乗経路での作業者の移動も容易となる作業機を合理的に構成する点にある。
【課題を解決するための手段】
【００１０】
本発明の特徴は、前部位置にステアリングハンドルを配置し、後端位置に作業装置を備え、これらの中間位置に運転座席を配置して走行機体が構成されると共に、前記走行機体の側部から前記運転座席に作業者が乗り込むための側部搭乗経路が形成され、この側部搭乗経路の前側の第１手摺フレームと、前記側部搭乗経路の後側の第２手摺フレームとが前記走行機体から立ち上がる姿勢で備えられ、前記第１手摺フレームの後部の第１後部縦手摺部が上側ほど前方に変位する傾斜姿勢で形成され、前記第２手摺フレームの前部の第２前部縦手摺部が上側ほど後方に変位する傾斜姿勢で形成されている点にある。
【００１１】
この構成によると、例えば、作業者が走行機体の側部位置で乗降する場合には、一方の手で第１手摺フレームを握り、他方の手で第２手摺フレームを握ることが可能となり、バランスを崩すさず走行機体に乗り込むことや、走行機体から圃場に降りることが容易に行える。また、第１手摺フレームの第１後部縦フレーム部と、第２手摺フレームの第２前部縦フレームとの間隔が上側ほど拡大しているので、第１手摺フレームと第２手摺フレームとの間の側部搭乗経路で作業者が移動する場合でも、これらの手摺フレームに対して作業者の衣服が接触することや、作業者が運搬する種籾や肥料のパッケージが接触する不都合を抑制でき、作業者の迅速な移動を可能にし、作業時間短縮による省力化も可能となる。
従って、走行機体の側部に対して作業者が乗降する場合でもバランスを崩さず楽な乗降が可能で、この側部搭乗経路での作業者の移動が容易で、作業効率を高くする作業機が構成された。
【００１２】
本発明は、前記第１手摺フレームの上端で水平姿勢となる第１横手摺部が、前記第２手摺フレームの上端で水平姿勢となる第２横手摺部の高さと等しい高さ、又は、この第２横手摺部より低い高さで形成されても良い。
【００１３】
これによると、第１横手摺部と第２横手摺部とが等しい高さであるものでは、作業者が左右何れの方向にバランスを崩しても第１横手摺部と第２横手摺部との何れかを即座に握って体の姿勢を安定させることが可能となる。しかも、作業者が側部搭乗経路の外端位置に立ち、一方の手で第１横手摺部を握り、他方の手で第２横手摺部を握った場合には、左右の手が等しい高さになり自然な姿勢で体を安定的に支えることも可能となる。これにより作業者に安心感を与えてスムーズな移動を可能にする。また、第１横手摺部が第２横手摺部より低く形成された構成では、第１手摺フレームの上端レベルを低くすることにより作業機の前部の小型化が可能となり、トラック等の荷台に積載して運搬する場合や、納屋に格納する場合の収納も容易となる。
【００１４】
本発明は、前記走行機体の前端部から前記運転座席に作業者が乗り込むための前部搭乗経路が形成され、前記第１手摺フレームの前部の第１前部縦手摺部の上部が上側ほど後方に変位する傾斜姿勢で形成されても良い。
【００１５】
これによると、例えば、畦から前部搭乗経路に作業者が搭乗する場合には、作業者が腕を前下がりの姿勢にした状態で、第１手摺フレームの前部縦手摺部の上部を握り、自然な姿勢で体を支えることが可能となる。このように体を支えた状態で、体の姿勢を安定させ前部搭乗経路の前端部に足を掛け走行機体への乗り移りを迅速に行える。
【００１６】
本発明は、前記走行機体の前端部から前記運転座席に作業者が乗り込むための前部搭乗経路が形成され、前記第１手摺フレームの前部の第１前部縦手摺部の下部が下側ほど後方に変位する傾斜姿勢で形成されても良い。
【００１７】
これによると、例えば、前部搭乗経路に作業者が搭乗する場合には、作業者の足（具体的には靴）が、第１手摺フレームの下端に接触する不都合を回避することになり、円滑な搭乗が可能となる。
【００１８】
本発明は、前記第１手摺フレームの前記第１後部縦手摺部が上端側ほど前記走行機体の中央側に変位する傾斜姿勢で形成されても良い。
【００１９】
これによると、例えば、圃場面から作業者が側部搭乗経路に搭乗する場合には、第１後部縦手摺部の高い位置を握って体を引き上げることにより、体を走行機体の中央側に移動させることになり搭乗を容易にする。また、第１後部縦手摺部の上側ほど運転座席に近い位置となるため、作業者が運転座席に着座する場合や、作業者が運転座席から立ち上がる場合には、第１後部縦手摺部を握ることにより作業者の姿勢を安定させ足腰への負担を軽減し、楽な作業を実現する。
【００２０】
本発明は、前記走行機体の後端位置に横幅方向に沿ってリアステップが形成されると共に、前記第２手摺フレームが、前記走行機体の左右両側部に備えられ、この左右の第２手摺フレームの上端位置に連結する横フレームが前記リアステップの上方位置に配置されても良い。
【００２１】
これによると、リアステップに作業者が搭乗した場合には横フレームに体を接触させることでリアステップから足を踏み外すことがなく、また、この横フレームを作業者の手で握ることにより、体を確実に支えることが可能となり作業を容易に行える。
【００２２】
本発明は、前記作業装置の左右両側部に、圃場面上に倒伏する作用姿勢と、圃場面から上方に離間して縦向きとなる格納姿勢とに切換自在なマーカを備え、前記横フレームの外端位置が、格納姿勢にある前記マーカとの接触を回避する形状に成形されても良い。
【００２３】
これによると、マーカを格納姿勢に設定した場合には、横フレームの外端位置と接触しない位置に設定してマーカを適正な姿勢に維持でき、マーカに付着した泥土で横フレームを汚すこともない。
【図面の簡単な説明】
【００２４】
【図１】乗用型直播機の全体の側面図である。
【図２】乗用型直播機の全体の平面図である。
【図３】乗用型直播機の全体の正面図である。
【図４】別実施形態（ａ）の乗用型直播機の全体の側面図である。
【発明を実施するための形態】
【００２５】
以下、本発明の実施形態を図面に基づいて説明する。
〔全体構成〕
図１及び図２に示すように、左右一対の前車輪１と左右一対の後車輪２とを備えた走行機体Ａの中央に運転座席３を配置し、この走行機体Ａの後端にリンク機構Ｌを介し作業装置Ｂを昇降自在に連結して作業機としての乗用型直播機が構成されている。この乗用型直播機は、走行機体Ａの走行に伴い圃場に対して播種を行うと共に、圃場に対して施肥と薬剤散布とを行うように構成されている。
【００２６】
直播機は、走行機体Ａの前部のボンネット４にエンジンＥが収容され、この下方にエンジンＥからの動力が伝えられるミッションケース５を備えている。このミッションケース５は左右の前車輪１と左右の後車輪２とに駆動力を伝えると共に、外部出力軸６を介して走行速度と同期した駆動力を作業装置Ｂに伝える。
【００２７】
運転座席３の前方位置には、左右の前車輪１を操向操作（操舵）するステアリングホイール７を備えている。ステアリングホイール７の左側部に走行速度を変速する主変速レバー８を備え、右側部には作業装置Ｂの強制的昇降を行う強制昇降レバー９を備えている。また、運転座席３の近傍には、作業装置Ｂの昇降とミッションケース５に内蔵した作業クラッチ（図示せず）の断続とを行う作業クラッチレバー１０を備えている。
【００２８】
リンク機構Ｌは、複数のリンク部材１２を有すると共に、油圧式の昇降シリンダ１３を有しており、昇降シリンダ１３の伸縮作動によりリンク機構Ｌを作動させて作業装置Ｂの昇降を行わせる。
【００２９】
〔作業装置〕
作業装置Ｂは、複数の整地フロート１５を備えると共に、この整地フロート１５での整地面に対して表面播種を行う播種装置Ｆと、この播種装置Ｆによる播種位置の近傍の圃場面下に肥料を供給する施肥装置Ｇと、播種及び施肥が行われた圃場面に対して除草剤等の薬剤の散布を行う薬剤散布装置Ｈとを備えている。
【００３０】
この作業装置Ｂは、複数の整地フロート１５の１つの姿勢に基づいて圃場面に対する高さ（対地高さ）を検出する構成を有しており、この構成による対地高さの検出結果に基づいて昇降シリンダ１３を制御することで、作業装置Ｂの対地高さを予め設定された値に維持する昇降制御が行われる。
【００３１】
播種装置Ｆは、種子ホッパー２１に貯留された種子としての種籾を繰出部２２により下方に繰り出し、この種籾を案内筒２３により外部の風の影響を排除した状態で圃場面に送り出す構成を有している。繰出部２２は前述した外部出力軸６からの駆動力で作動し、この繰出部２２での繰出量を調節することにより、単位走行距離あたりの播種量の調節が可能となる。
【００３２】
この播種装置Ｆでは、鳥害を抑制するために鉄コーティング処理が行われた種籾を用いており、複数の整地フロート１５の整地部で整地された圃場面に対して種籾を自重により落下させる形態での点播が行われる。尚、この播種の後に覆土は行われない。
【００３３】
施肥装置Ｇは、肥料ホッパー２５に貯留された肥料を繰出機構２６により下方に繰り出し、その肥料をホース２７により作溝器２８に送り出す構成を有している。繰出機構２６は前述した外部出力軸６からの駆動力で作動し、この繰出機構２６での繰出量を調節することにより、単位走行距離あたりの施肥量の調節が可能となる。
【００３４】
作溝器２８は、先端が整地フロート１５の下面から下方に突出する形態で整地フロート１５に支持され、走行機体Ａの走行時に圃場面に溝を形成し、この溝の内部に肥料を案内することにより圃場面下に肥料を送り込む機能を有している。
【００３５】
薬剤散布装置Ｈは、薬剤を貯留する薬剤ホッパー３１と、この薬剤ホッパー３１の薬剤を繰出ユニット３２で繰り出し、拡散ユニット３３で拡散させる構成を有している。繰出ユニット３２では電気的な作動を行うアクチュエータにより薬剤を繰り出し、拡散ユニット３３では繰出ユニット３２からの薬剤を電気的な回転作動により薬剤を拡散させる拡散体を備えている。
【００３６】
尚、この薬剤散布装置Ｈは、播種幅に対応した領域に薬剤の散布を行えるように播種装置Ｆより上方で、平面視において整地フロート１５より後方にオーバハングする位置に配置されている。
【００３７】
作業装置Ｂの両側部には、圃場面上に倒伏する作用姿勢と、圃場面から上方に離間して縦向きとなる格納姿勢とに切換自在なマーカＭを備えている。このマーカＭは、作業装置Ｂのフレームに対して前後向き姿勢となる揺動軸芯を中心に揺動自在に支持されるマーカアーム３５と、このマーカアーム３５の先端に回転自在に支持した回転体３６とを備えて構成されている。尚、マーカＭは、マーカアーム３５の先端側に圃場面に溝を形成するためのロッドを備えた構成のものでも良い。
【００３８】
左右のマーカＭは、作業装置Ｂの上昇に伴って作用姿勢から格納姿勢に切り換えられ、作業装置Ｂが設定レベルを超える高さに達することによりロック機構により格納姿勢に保持される。また、作業装置Ｂを圃場面のレベルまで下降させた状況では、前述した強制昇降レバー９を所定の方向に操作することにより右側又は左側のロック機構の一方を選択してロック解除することが可能であり、このロック解除によりマーカＭを作用姿勢に切り換えるように構成されている。
【００３９】
尚、マーカＭを作用姿勢に設定した状態で走行機体Ａを走行させることにより圃場面には回転体３６の外周の突起により凹状のマーカ跡が連続的に形成される。従って、作業者は、走行機体Ａの前部側のセンターマスコット３７と、圃場面のマーカ跡とを視覚的に一致させるように走行させることにより、隣接する播種位置との距離を適正に維持した領域の圃場面に播種、施肥、薬剤散布を行えるように構成されている。
【００４０】
〔走行機体〕
運転座席３の足元には、作業者が足を下ろす平坦なフロア４１が形成され、走行機体Ａの前部位置で前述したボンネット４の両側部には前述したフロア４１に連なるステップ４２が形成されている。また、走行機体Ａの左右の外側部には、フロア４１とステップ４２とに等しい高さで連なる補助ステップ４３が外方に張り出す形態で形成されている。運転座席３の後部位置には走行機体Ａの全幅に亘る幅のリアステップ４４が形成されている。
【００４１】
更に、補助ステップ４３の外端位置からフロア４１に連なる領域には、作業者の乗降を可能にする側部搭乗経路Ｓが形成され、この側部搭乗経路Ｓの外端位置には、補助ステップ４３の上面より低いレベルで作業者が足を掛ける乗降ステップ４５が備えられている。前述したようにボンネット４の両側部に形成されたステップ４２は、作業者の乗降を可能にする前部搭乗経路Ｔが形成されている。
【００４２】
〔手摺フレーム〕
図１〜図３に示すように、走行機体Ａの両側部位置で、左右の側部搭乗経路Ｓの外端部の前側には第１手摺フレーム５１が走行機体Ａから立ち上がる姿勢で形成され、側部搭乗経路Ｓの外端部の後側には第２手摺フレーム５２が走行機体Ａから立ち上がる姿勢で形成されている。
【００４３】
つまり、走行機体Ａの左右の前部位置で前部搭乗経路Ｔの外側位置には第１手摺フレーム５１が配置され、この第１手摺フレーム５１より後側で側部搭乗経路Ｓを挟む位置には第１手摺フレーム５１と第２手摺フレーム５２とが配置されている。また、リアステップ４４の上方位置には、その両端部が第２手摺フレーム５２の上端部分に連結する横フレーム５３が備えられている。
【００４４】
第１手摺フレーム５１は、前部で縦向き姿勢となる第１前部縦手摺部５１Ａと、後部で縦向き姿勢となる第１後部縦手摺部５１Ｂと、これらの上端同士に連なる水平姿勢の第１横手摺部５１Ｃとを備えて構成されている。この第１手摺フレーム５１は丸パイプ材を屈曲することで形成され、第１前部縦手摺部５１Ａの下端部が走行機体Ａに連結し、第１後部縦手摺部５１Ｂの下端部が走行機体Ａに連結する。
【００４５】
特に、第１前部縦手摺部５１Ａの下端には水平姿勢で走行機体Ａの中央側に伸びる第１前部支持フレーム５１Ｆが一体形成され、第１後部縦手摺部５１Ｂの下端には水平姿勢で走行機体Ａの中央側に伸びる第１後部支持フレーム５１Ｒが一体形成されている。第１前部支持フレーム５１Ｆはステップ４２の下側に回り込む位置に配置され、第１後部支持フレーム５１Ｒは、補助ステップ４３の下側に回り込み位置に配置されている。
【００４６】
第２手摺フレーム５２は、前部で縦向き姿勢となる第２前部縦手摺部５２Ａと、後部で縦向き姿勢となる第２後部縦手摺部５２Ｂと、これらの上端同士に連なる水平姿勢の第２横手摺部５２Ｃとを備えて構成されている。この第２手摺フレーム５２は丸パイプ材を屈曲することで形成され、第２前部縦手摺部５２Ａの下端部が走行機体Ａに連結し、第２後部縦手摺部５２Ｂの下端部が走行機体Ａに連結する。
【００４７】
第１手摺フレーム５１の後部の第１後部縦手摺部５１Ｂが上側ほど前方に変位する傾斜姿勢で形成され、第２手摺フレーム５２の前部の第２前部縦手摺部５２Ａが上側ほど後方に変位する傾斜姿勢で形成されている。この第１後部縦手摺部５１Ｂと第２前部縦手摺部５２Ａとの間隔は側部搭乗経路Ｓの外端位置の作業者が手を伸ばして同時に握り得る間隔で配置されている。
【００４８】
つまり、第１手摺フレーム５１と第２手摺フレーム５２との間で作業者が通過する空間は上側ほど拡大しており、例えば、作業者が走行機体Ａの側部位置で乗降する場合には、一方の手で第１手摺フレーム５１を握り、他方の手で第２手摺フレーム５２を握ることが可能となる。これにより、バランスを崩すさず走行機体Ａに乗り込むことや、走行機体Ａから圃場に降りることが容易に行える。また、第１手摺フレーム５１の第１後部縦フレーム部５１Ｂと、第２手摺フレーム５２の第２前部縦フレーム５２Ａとの間隔が上側ほど拡大しているので、第１手摺フレーム５１と第２手摺フレーム５２との間の側部搭乗経路Ｓで作業者が移動する場合でも、これらの手摺フレームに対して作業者の衣服が接触することや、作業者が運搬する種籾や肥料のパッケージ等が接触する不都合を抑制でき、作業者の迅速な移動を可能にし、作業時間短縮による省力化も可能となる。
【００４９】
また、第１手摺フレーム５１の上端で水平姿勢となる第１横手摺部５１Ｃが、第２手摺フレーム５２の上端で水平姿勢となる第２横手摺部５２Ｃの高さと等しい高さに設定されている。
【００５０】
このような高さの設定により、第１横手摺部５１Ｃと第２横手摺部５２Ｃとが等しい高さであるものでは、作業者が左右何れの方向にバランスを崩しても第１横手摺部５１Ｃと第２横手摺部５２Ｃとの何れかを即座に握って体の姿勢を安定させることが可能となる。しかも、作業者が側部搭乗経路Ｓの外端位置に立ち、一方の手で第１横手摺部５１Ｃを握り、他方の手で第２横手摺部５２Ｃを握った場合には、左右の手が等しい高さになり自然な姿勢で体を安定的に支えることも可能となる。これにより作業者に安心感を与えてスムーズな移動を可能にする。
【００５１】
この構成に類似するものとして第１横手摺部５１Ｃの高さを、第２横手摺部５２Ｃより少し低く設定しても良い。このような高さ関係にすることにより、第１手摺フレーム５１の上端レベルを低くするため作業機の前部の小型化が可能となり、トラック等の荷台に積載して乗用型播種機を運搬する場合や、納屋に格納する場合の収納も容易となる。
【００５２】
第１手摺フレーム５１の前部の第１前部縦手摺部５１Ａが、上部フレーム５１Ａｕと下部フレーム５１Ａｄとで構成されている。上部フレーム５１Ａｕは上側ほど後方に変位する傾斜姿勢で形成され、下部フレーム５１Ａｄは下側ほど後方に変位する傾斜姿勢で形成されている。これにより、上部フレーム５１Ａｕと下部フレーム５１Ａｄとの境界部分が前方に突出する屈曲状に形成される。
【００５３】
第１手摺フレーム５１は、走行機体Ａの前部位置で前部搭乗経路Ｔの近傍位置に形成されるため、例えば、畦から前部搭乗経路Ｔに作業者が搭乗する場合には、作業者が腕を前下がりの姿勢にした状態で、第１手摺フレーム５１の第１前部縦手摺部５１Ａの上部フレーム５１Ａｕを握り、自然な姿勢で体を支えることが可能となる。このように体を支えた状態で、前部搭乗経路Ｔの前端部に足（具体的には靴）を掛け走行機体Ａへの乗り移りを迅速に行える。
【００５４】
また、前部搭乗経路Ｔに作業者が搭乗する場合には、作業者の足（具体的には靴）が、第１手摺フレーム５１の下端の下部フレーム５１Ａｄに接触する不都合を回避することになり、円滑な搭乗が可能となる。
【００５５】
走行機体Ａの左右方向での中央位置を基準にすると、第１前部支持フレーム５１Ｆの外端位置より、第１後部支持フレーム５１Ｒの外端位置が外方にある。また、第１後部支持フレーム５１Ｒの外端位置から立ち上がる第１後部縦手摺部５１Ｂは、上端側ほど走行機体Ａの中央側に変位するように傾斜姿勢で形成されている。これに対して、第１前部縦手摺部５１Ａのうち下側の下部フレーム５１Ａｄは、上側ほど走行機体Ａの中央から離れる方向に傾斜しており、上部フレーム５１Ａｕは上側ほど走行機体Ａの中央側に変位する傾斜姿勢に設定されている。
【００５６】
この構成では、前後方向視において、第１後部縦手摺部５１Ｂと第１前部縦手摺部５１Ａの上端部分（上部フレーム５１Ａｕ）とは重なり合う位置に配置される。
【００５７】
このように第１後部縦手摺部５１Ｂが上端側ほど前記走行機体の中央側に変位する姿勢で形成されているので、例えば、圃場面から作業者が側部搭乗経路Ｓに搭乗する場合には、乗降ステップ４５に足を掛け、第１後部縦手摺部５１Ｂの高い位置を握って体を引き上げることにより、体を走行機体の中央側に移動させることになり搭乗を容易にする。つまり、第１後部縦手摺部５１Ｂの握る位置が高いほど、体を走行機体Ａの中央側に寄せることが可能となり、他方の手で第２手摺フレーム５２の第２前部縦手摺部５２Ａを握ることにより姿勢を安定させて走行機体Ａへの乗り込みを容易にする。
【００５８】
また、第１後部縦手摺部５１Ｂの上側ほど運転座席３に近い位置となるため、作業者が運転座席３に着座する場合や、作業者が運転座席３から立ち上がる場合には、第１後部縦手摺部５１Ｂを握ることにより作業者の姿勢を安定させ足腰への負担を軽減し、楽な作業を実現する。
【００５９】
〔横フレーム〕
前述した横フレーム５３は、その両端部分が、第２手摺フレーム５２の第２後部縦手摺部５２Ｂの上端部分に連結している。この横フレーム５３は、リアステップ４４の上方で、平面視においてリアステップ４４の後端に沿って配置される主フレーム部５３Ａと、この主フレーム部５３Ａの両端部分（外端部）において斜め前方に屈曲する一対の屈曲部５３Ｂと、この屈曲部５３Ｂの外端位置において下方に屈曲する一対の連結部５３Ｃとで構成されている。
【００６０】
この横フレーム５３は丸パイプ材を屈曲することで構成され、前述した連結部５３Ｃが第２手摺フレーム５２の第２後部縦手摺部５２Ｂの上端部分に連結している。
【００６１】
この横フレーム５３は、運転座席３の後方に配置されているため、例えば、施肥装置Ｇの肥料ホッパー２５に対して肥料を補給するために、リアステップ４４に作業者が搭乗した場合にも横フレーム５３に体を接触させることでリアステップ４４から足を踏み外すことがなく、また、この横フレーム５３を作業者の手で握ることにより体を確実に支えることが可能となり作業を容易に行える。
【００６２】
また、横フレーム５３の外端部分は、マーカＭを格納姿勢に設定した際に、マーカアーム３５の上端部分や、回転体３６に近接するものであるため、マーカＭを格納姿勢に設定した際に、マーカアーム３５の上端部分や回転体３６との接触を回避するように、屈曲部５３Ｂを平面視で斜め姿勢に設定している。尚、格納姿勢に設定したマーカＭの特定部分との接触を回避するための横フレーム５３の外端位置の形状として、例えば、走行機体Ａの内側に入り込む凹状であっても良い。
【００６３】
これにより、マーカＭを格納姿勢に設定した場合には、横フレーム５３の外端位置と接触しない位置に設定してマーカＭを適正な姿勢に維持でき、マーカＭに付着した泥土で横フレーム５３を汚すこともない。
【００６４】
〔別実施形態〕
本発明は、上記した実施形態以外に以下のように構成しても良い。
【００６５】
（ａ）図４に示すように、横フレーム５３の主フレーム部５３Ａを、前述した実施形態と比較して高い位置に形成しても良い。このように横フレーム５３を高い位置に形成することにより作業装置Ｂを上限まで上昇させた状態では、施肥装置Ｇの肥料ホッパー２５に対して肥料を補給する場合には、肥料を詰めたパッケージ等を横フレーム５３に乗せる状態での補給が可能となり、作業能率を高くできる。また、作業者が横フレーム５３に体を接触させる場合にも、例えば、膝より高い位置に横フレーム５３を接触させることも可能となり作業者の体を一層安定的に支えることが可能となる。
【００６６】
（ｂ）第１手摺フレーム５１と、第２手摺フレーム５２との少なくとも一方を板材を用いて構成する。第１手摺フレーム５１の具体構成を考えると、第１手摺フレーム５１として、前端縁の第１前部縦手摺部５１Ａと、後端縁の第１後部縦手摺部５１Ｂと、水平姿勢で上端縁となる第１横手摺部５１Ｃを備えて構成する。第２手摺フレーム５２の場合にも同様に構成する。
【００６７】
この別実施形態（ｂ）のように板材を用いて手摺フレームを構成する場合、パンチングメタルのように板材に多数の開口を形成して視界を良くしても良い。
【００６８】
（ｃ）作業機として、田植機、施肥専用機、薬剤専用機等を構成し、これらに本発明の手摺フレームを備えても良い。
【産業上の利用可能性】
【００６９】
本発明は、運転座席を備えた走行機体を有する作業機に利用することができる。
【符号の説明】
【００７０】
３            運転座席
７            ステアリングハンドル
４４          リアステップ
５１          第１手摺フレーム
５１Ａ        第１前部縦手摺部
５１Ｂ        第１後部縦手摺部
５１Ｃ        第１横手摺部
５２          第２手摺フレーム
５２Ａ        第２前部縦手摺部
５２Ｃ        第２横手摺部
５３          横フレーム
Ａ            走行機体
Ｂ            作業装置
Ｍ            マーカ
Ｓ            側部搭乗経路
Ｔ            前部搭乗経路
【図１】
2014135932.tif 000003
【図２】
2014135932.tif 000004
【図３】
2014135932.tif 000005
【図４】
2014135932.tif 000006